(57)【特許請求の範囲】
【請求項１】
内燃機関と、前記内燃機関の出力軸と同期して回転可能な回転軸を有するモータと、を備える車両に搭載され、
前記出力軸に設けられ、前記出力軸の回転に伴い信号を出力するクランク角センサと、
前記回転軸に設けられ、前記回転軸の角度位置であるロータ角を検出するレゾルバと、
前記モータにより前記出力軸を回転して前記内燃機関を始動させる際に、前記内燃機関の始動開始時から前記出力軸の角度位置であるクランク角が確定されるまで、前記内燃機関の前回停止時に検出されたロータ角に基づく角度である停止角度に、前記出力された信号に応じた値を加算することにより算出される推定値である仮クランク角に基づいて前記内燃機関に係る始動制御を実行する制御手段と、
を備えることを特徴とする始動制御装置。
【請求項２】
前記内燃機関の前回停止時から前記内燃機関の今回始動開始時までの間に前記出力軸が回転した場合、前記制御手段は、前記レゾルバにより再検出されたロータ角に基づいて前記停止角度を更新し、前記内燃機関の今回始動時に、前記更新された停止角度を用いて前記仮クランク角を算出することを特徴とする請求項１に記載の始動制御装置。
【請求項３】
前記出力軸と前記回転軸との間に介在する動力伝達機構に起因して、前記回転軸が回転し始める時点と前記出力軸が回転し始める時点とが異なる場合、前記制御手段は、前記レゾルバにより再検出されたロータ角に基づいて前記停止角度を更新し、前記出力軸が回転し始める時点における停止角度に、前記出力された信号に応じた値を加算することにより前記仮クランク角を算出することを特徴とする請求項１に記載の始動制御装置。
【請求項４】
前記出力軸と前記回転軸との間に介在する動力伝達機構に起因して、前記回転軸が回転し始める時点と前記出力軸が回転し始める時点とが異なる場合、とは、前記車両が備える、パーキングレンジを含む複数のレンジ間で切り替え操作可能なシフト操作手段により前記パーキングレンジが選択されている場合であることを特徴とする請求項３に記載の始動制御装置。
【請求項５】
前記制御手段は、前記クランク角が確定された後、前記仮クランク角に代えて前記クランク角に基づいて前記始動制御を実行し、
前記クランク角が確定された際、前記クランク角が前記仮クランク角よりも進んでいる場合、前記仮クランク角と前記クランク角との間に、前記始動制御に含まれる燃料噴射制御を実行すべき噴射角度、又は前記始動制御に含まれる点火制御を実行すべき点火角度が含まれることを条件に、前記制御手段は、前記燃料噴射制御又は前記点火制御を実行する
ことを特徴とする請求項１に記載の始動制御装置。
【請求項６】
前記制御手段は、前記クランク角が確定された後、前記仮クランク角に代えて前記クランク角に基づいて前記始動制御を実行し、
前記クランク角が確定された際、前記クランク角が前記仮クランク角よりも遅れている場合、前記制御手段は、前記クランク角が、前記クランク角が確定された際の仮クランク角に相当する角度に達するまでは、前記始動制御に含まれる燃料噴射制御及び点火制御の実行を禁止する
ことを特徴とする請求項１に記載の始動制御装置。
【請求項７】
前記内燃機関を始動させる際にエミッション低減要求がある場合、前記制御手段は、前記仮クランク角は用いずに、前記クランク角が確定された後に、前記クランク角に基づいて前記始動制御を実行することを特徴とする請求項１に記載の始動制御装置。
【発明の詳細な説明】
【技術分野】
【０００１】
本発明は、内燃機関及びモータを備える、例えば自動車等の車両において該内燃機関を始動する始動制御装置に関し、特に、内燃機関に設けられたクランク角センサの出力及びモータに設けられたレゾルバの出力を用いる始動制御装置の技術分野に関する。
【背景技術】
【０００２】
この種の装置として、例えば、内燃機関とモータ・ジェネレータと、該内燃機関及びモータ・ジェネレータ間に配置されたクラッチと、を備える車両において、クラッチが一旦解放された後再び係合された場合に内燃機関の出力軸とモータ・ジェネレータの出力軸との角度差を算出し、内燃機関の始動時にクラッチが係合されていれば、モータ・ジェネレータの出力軸の角度位置を検出するレゾルバの出力と、算出された角度差とに基づいて内燃機関を制御する装置が提案されている（特許文献１参照）。【０００３】
尚、内燃機関及びモータの少なくとも一方に係る角度を検出する方法として、例えば特許文献２には、同一軸上に連結された内燃機関及びモータを備える車両において、第１レゾルバにより検出された内燃機関に係るクランク角と、第２レゾルバにより検出されたモータに係るロータ角との間の初期位相変位と、第２レゾルバにより検出されたロータ角とからクランク角を求める方法が記載されている。【０００４】
或いは、特許文献３には、モータ・ジェネレータの回転数が、例えば１００ｒｐｍ（Ｒｅｖｏｌｕｔｉｏｎｓ  ｐｅｒ  ｍｉｎｕｔｅ）未満の低回転では、レゾルバにより検出された回転数によりモータ・ジェネレータを制御し、高回転では、ノースマーカにより検出された回転数によりモータ・ジェネレータを制御する方法が記載されている。ここでは特に、レゾルバにより検出された回転数とノースマーカにより検出された回転数との切り換え範囲において、回転数の変化勾配が所定値以上である場合には切り換えを禁止することが記載されている。【０００５】
また、検出されたクランク角に基づく内燃機関の制御方法として、例えば特許文献４には、クランク角センサを構成する、欠歯部及び複数の歯部を有するシグナルロータの該欠歯部に起因して、欠歯部又は歯部の実際の検出開始又は終了時点よりもセンサからの信号の出力が遅れる分だけ、燃料噴射に係る噴射待機期間が短くなるように補正する方法が記載されている。
【先行技術文献】
【特許文献】
【０００６】
【特許文献１】特開２００１−０２０７９７号公報
【特許文献２】特許第３８１２１９５号
【特許文献３】特許第４１９２９９２号
【特許文献４】特許第４８１０３５６号
【発明の概要】
【発明が解決しようとする課題】
【０００７】
ここで、内燃機関の出力軸であるクランク軸のクランク角が、クランク角センサを用いて検出される場合、該クランク角センサによりクランク角の基準位置が検出されるまでは、クランク角が確定されない。このため、内燃機関の始動時において、クランク角が確定されるまでは、例えば燃料噴射制御や点火制御を行うことが困難となる。すると、内燃機関の始動時におけるクランキング期間の短縮が困難になり、例えばエネルギー効率の向上を図ることが困難になる等の技術的問題点がある。【０００８】
特許文献１に記載の技術は、内燃機関の出力軸とモータの出力軸とが直結されていない装置には適用が困難である。具体的には例えば内燃機関及びモータ間にギヤが介在する場合、該ギヤのギヤがたに起因して、内燃機関に係るクランク角と、モータの出力軸の角度位置を示すレゾルバの値との間に誤差が生じる可能性があり、内燃機関に係る始動制御の精度が低下する可能性がある。【０００９】
特許文献２に記載の技術は、同一軸上に連結された内燃機関及びモータを備える車両において、検出されるクランク角とロータ角とが一致するように、第１レゾルバ及び第２レゾルバ各々の組み付け角度を調整することに代えて、検出されたクランク角とロータ角との位相変位を学習する技術である（特許文献２[００２１]〜[００２３]参照）。このため特許文献２に記載の技術では、上記技術的問題点を解決することは極めて困難である。【００１０】
特許文献３に記載の技術は、上述の如く、モータ・ジェネレータの回転数に応じて、該回転数の検出手段を切り換えるものであり。このため特許文献３に記載の技術では、上記技術的問題点を解決することは極めて困難である。特許文献４に記載の技術は、クランク角センサによりクランク角が確定された後において、燃料の噴射開始タイミングの精度を向上する技術である。このため特許文献４に記載の技術では、上記技術的問題点を解決することは極めて困難である。【００１１】
このように、上述した特許文献１乃至４では、上記技術的問題点を解決することが困難であるという技術的問題点がある。【００１２】
本発明は、例えば上記問題点に鑑みてなされたものであり、内燃機関及びモータを備える車両において、内燃機関を比較的早く始動することができる始動制御装置を提供することを課題とする。
【課題を解決するための手段】
【００１３】
本発明の始動制御装置は、上記課題を解決するために、内燃機関と、前記内燃機関の出力軸と同期して回転可能な回転軸を有するモータと、を備える車両に搭載され、前記出力軸に設けられ、前記出力軸の回転に伴い信号を出力するクランク角センサと、前記回転軸に設けられ、前記回転軸の角度位置であるロータ角を検出するレゾルバと、前記モータにより前記出力軸を回転して前記内燃機関を始動させる際に、前記内燃機関の始動開始時から前記出力軸の角度位置であるクランク角が確定されるまで、前記内燃機関の前回停止時に検出されたロータ角に基づく角度である停止角度に、前記出力された信号に応じた値を加算することにより算出される推定値である仮クランク角に基づいて前記内燃機関に係る始動制御を実行する制御手段と、を備える。【００１４】
本発明の始動制御装置によれば、当該始動制御装置は、例えばエンジンである内燃機関と、該内燃機関の出力軸と同期して回転可能な回転軸を有するモータと、を備える車両に搭載されている。ここで、「同期して回転可能」は、車両の走行期間のうち少なくとも一部の期間において内燃機関の出力軸とモータの回転軸とが同時に回転又は停止していればよく、内燃機関の出力軸とモータの回転軸とが常に同期していることに限られない。【００１５】
また、内燃機関の出力軸の回転数とモータの回転軸の回転数とは同一でなくてよく、例えばギヤ比等の既知の比例定数を用いて、内燃機関の出力軸及びモータの回転軸の一方の回転数から、他方の回転数を算出可能であればよい。【００１６】
クランク角センサは、内燃機関の出力軸に設けられ、該出力軸の回転に伴い信号を出力する。レゾルバは、モータの回転軸に設けられ、該回転軸の角度位置であるロータ角を検出する。尚、クランク角センサには、公知の各種態様を適用可能である。また、レゾルバにも、公知の各種態様を適用可能である。【００１７】
例えばメモリ、プロセッサ等を備えてなる制御手段は、モータにより内燃機関の出力軸を回転して（即ち、クランキングして）内燃機関を始動させる際に、内燃機関の始動開始時から、該内燃機関の出力軸の角度位置であるクランク角が確定されるまで、仮クランク角に基づいて内燃機関に係る始動制御を実行する。本発明に係る「仮クランク角」とは、内燃機関の前回停止時に、レゾルバにより検出されたロータ角に基づく角度である停止角度に、内燃機関の今回始動時において、クランク角センサから出力された信号に応じた値を加算することにより算出された推定値である。【００１８】
「内燃機関の始動開始時」とは、内燃機関の出力軸が回転され始める時点に限らず、該出力軸が回転され始める時点よりも、所定時間だけ遡った時点又は所定時間だけ経過した時点を含んでよい。「クランク角が確定」とは、クランク角センサから出力される信号に基づいて、クランク角が特定されることを意味する。【００１９】
クランク角センサから出力される信号によりクランク角が特定されるまでには、上述の如く、ある程度の時間が必要である。他方で、クランク角がわからなければ、例えば燃料噴射や点火等の制御を適切に実行することが困難である。従って、車両全体のエネルギー効率の観点からは、内燃機関の始動に費やされる時間をいかに短くするかということが、エネルギー効率の向上に繋がる。また、所謂エコラン車では、内燃機関の始動に費やされる時間を短くすることが、レスポンスの向上に繋がる。【００２０】
特に、動力源としての内燃機関及びモータを備えるハイブリッド車両では、例えば低速走行時、低負荷時等の内燃機関の効率が比較的低い運転領域では、内燃機関を停止してモータのみで走行することが多い。このため、ハイブリッド車両では、内燃機関の停止及び再始動の回数が比較的多くなる。すると、内燃機関の始動時において、クランク角が特定されるまでにモータにより消費されるエネルギーの、全エネルギー効率に対する寄与が比較的大きくなる。【００２１】
尚、クランク角が確定される前に燃料噴射処理を行おうとすると、内燃機関の気筒ナンバーやクランク角がわからないため、例えば固定噴射処理や固定点火処理しかできず、エミッションが悪化したり、燃焼トルクを制御できないことに起因してパワートレーンの振動が増大したりする。【００２２】
そこで本発明では、上述の如く、制御手段により、仮クランク角が算出され、該算出された仮クランク角に基づいて、クランク角が確定される前であっても、内燃機関に係る始動制御が実行される。特に、クランク角センサの信号は、内燃機関の出力軸が回転されれば出力されるので、仮クランク角を用いることで、内燃機関のクランキング開始直後から内燃機関に係る始動制御を行うことができる。【００２３】
以上の結果、本発明の始動制御装置によれば、内燃機関及びモータを備える車両において、内燃機関を比較的早く始動することができる。【００２４】
尚、内燃機関の出力軸とモータの回転軸との間に、例えばダンパ、ギヤ、ベルト等が存在すると、内燃機関の前回停止時における停止角度と、実際のクランク角との間にずれが生じる可能性がある。このため、本発明では、内燃機関の始動開始時からクランク角が確定されるまでの期間に限って、仮クランク角を用いて内燃機関に係る始動制御が実行される。そして、クランク角が確定した後は、クランク角を用いて内燃機関に係る始動制御が実行される。このように構成すれば、内燃機関に係る始動制御の精度の低下を防止しつつ、内燃機関を比較的早く始動することができる。【００２５】
尚、内燃機関の停止直前には、該内燃機関のコンプレッショントルクによるトルク反力により、内燃機関が逆回転してしまう。このため、一般的なクランク角センサのみにより、内燃機関に係る停止角度を検出することは困難である。他方で、本発明に係る「仮クランク角」を用いることに代えて、逆回転検知機能付きのセンサによりクランク角を検出することも考えられるが、逆回転検知機能付きのセンサは比較的高価であるので、例えば製造コストが増大する等の問題点がある。【００２６】
本発明の始動制御装置の一態様では、前記内燃機関の前回停止時から前記内燃機関の今回始動開始時までの間に前記出力軸が回転した場合、前記制御手段は、前記レゾルバにより再検出されたロータ角に基づいて前記停止角度を更新し、前記内燃機関の今回始動時に、前記更新された停止角度を用いて前記仮クランク角を算出する。【００２７】
レゾルバは、モータの回転軸が順方向へ回転する時だけでなく、逆方向へ回転する時もロータ角を検出することができる。このため、内燃機関の出力軸の回転に伴いモータの回転軸がつれ回された場合であっても、モータの回転軸の回転方向にかかわらずロータ角を検出することができる。【００２８】
従って、内燃機関の前回停止時から今回始動開始時までの間に、例えば走行時の振動等の外乱により内燃機関の出力軸が回転した場合であっても、内燃機関の今回始動開始時における出力軸の停止角度がわかるので、比較的信頼性の高い仮クランク角を算出することができ、実用上非常に有利である。【００２９】
本発明の始動制御装置の他の態様では、前記出力軸と前記回転軸との間に介在する動力伝達機構に起因して、前記回転軸が回転し始める時点と前記出力軸が回転し始める時点とが異なる場合、前記制御手段は、前記レゾルバにより再検出されたロータ角に基づいて前記停止角度を更新し、前記出力軸が回転し始める時点における停止角度に、前記出力された信号に応じた値を加算することにより前記仮クランク角を算出する。【００３０】
この態様によれば、例えば動力伝達機構におけるギヤがた詰め等により、回転軸が回転し始める時点と出力軸が回転し始める時点とが異なる場合であっても、比較的信頼性の高い仮クランク角を算出することができ、実用上非常に有利である。【００３１】
この態様では特に、内燃機関の始動要求がありモータの回転軸が回転し始めた後であっても、内燃機関の出力軸が回転し始めるまでは、停止角度が更新される。【００３２】
この態様では、前記出力軸と前記回転軸との間に介在する動力伝達機構に起因して、前記回転軸が回転し始める時点と前記出力軸が回転し始める時点とが異なる場合、とは、前記車両が備える、パーキングレンジを含む複数のレンジ間で切り替え操作可能なシフト操作手段により前記パーキングレンジが選択されている場合であってよい。【００３３】
このように構成すれば、例えばギヤがた詰めに係る制御等が発生し易いパーキングレンジが選択されている場合に、仮クランク角を適切に算出して、内燃機関を始動させることができる。【００３８】
本発明の始動制御装置の他の態様では、前記制御手段は、前記クランク角が確定された後、前記仮クランク角に代えて前記クランク角に基づいて前記始動制御を実行し、前記クランク角が確定された際、前記クランク角が前記仮クランク角よりも進んでいる場合、前記仮クランク角と前記クランク角との間に、前記始動制御に含まれる燃料噴射制御を実行すべき噴射角度、又は前記始動制御に含まれる点火制御を実行すべき点火角度が含まれることを条件に、前記制御手段は、前記燃料噴射制御又は前記点火制御を実行する。【００３９】
この態様によれば、仮クランク角からクランク角への切り換えに起因して、処理抜けが発生することを防止することができ、実用上非常に有利である。【００４０】
尚、仮クランク角とクランク角との間に、噴射角度又は点火角度が含まれていた場合、制御手段は、典型的には、仮クランク角からクランク角への切り換え直後に、燃料噴射制御又は点火制御を実行する。【００４１】
或いは、本発明の始動制御装置の他の態様では、前記制御手段は、前記クランク角が確定された後、前記仮クランク角に代えて前記クランク角に基づいて前記始動制御を実行し、前記クランク角が確定された際、前記クランク角が前記仮クランク角よりも遅れている場合、前記制御手段は、前記クランク角が、前記クランク角が確定された際の仮クランク角に相当する角度に達するまでは、前記始動制御に含まれる燃料噴射制御及び点火制御の実行を禁止する。【００４２】
この態様によれば、仮クランク角からクランク角への切り換えに起因して、二重に処理が実行されることを防止することができ、実用上非常に有利である。【００４３】
尚、「前記クランク角が、前記クランク角が確定された際の仮クランク角に相当する角度に達するまでは、前記始動制御に含まれる燃料噴射制御及び点火制御の実行を禁止する」とは、クランク角が確定された際の、クランク角と仮クランク角との間に、噴射角度及び点火角度の少なくとも一方が含まれていたとしても、燃料噴射制御及び点火制御の実行を禁止するという意味である。【００４４】
制御手段は、クランク角が、該クランク角が確定された際の仮クランク角に相当する角度に達した後、クランク角が噴射角度又は点火角度に該当した場合に、燃料噴射制御又は点火制御を実行する。【００４５】
本発明の始動制御装置の他の態様では、前記内燃機関を始動させる際にエミッション低減要求がある場合、前記制御手段は、前記仮クランク角は用いずに、前記クランク角が確定された後に、前記クランク角に基づいて前記始動制御を実行する。【００４６】
この態様によれば、例えば間欠運転時間が長い、触媒温度が比較的低い、車両運転開始時等、内燃機関を早期に始動させてしまうと、エミッションが悪化する可能性がある場合に、クランク角が確定された後に内燃機関に係る始動制御が実行されるので、エミッションの悪化を抑制することができる。【００４７】
本発明の作用及び他の利得は次に説明する実施するための形態から明らかにされる。
【図面の簡単な説明】
【００４８】
【図１】第１実施形態に係る始動制御装置が搭載される車両の構成を示すブロック図である。
【図２】第１実施形態に係るクランク角センサの構成を概略的に示した構成図であり、
【図３】クランク角センサ信号の一例である。
【図４】クランク角の絶対値の特定方法の一例を示す概念図である。
【図５ａ】エンジンの運転時における始動制御装置の動作を示す概念図である。
【図５ｂ】エンジン停止時における始動制御装置の動作を示す概念図である。
【図５ｃ】エンジン始動時且つクランク角確定前における始動制御装置の動作を示す概念図である。
【図６】第１実施形態に係る始動制御を、従来例に係る始動制御と比較して示す概念図である。
【図７】第１実施形態に係る始動制御処理を示すフローチャートである。
【図８】第２実施形態に係る始動制御処理を示すフローチャートである。
【図９】パーキングレンジが選択されている場合及びドライブレンジが選択されている場合各々のクランキングの一例を示す概念図である。
【図１０】第３実施形態に係る始動制御処理を示すフローチャートである。
【図１１】停止角度が欠歯位置に該当する場合の仮クランク角及び実際のクランク角の一例示す概念図である。
【図１２】第４実施形態に係る始動制御処理を示すフローチャートである。
【図１３】切り換え時における仮クランク角及びクランク角の一例を示す概念図である。
【図１４】第５実施形態に係る始動制御処理を示すフローチャートである。
【発明を実施するための形態】
【００４９】
以下、本発明の始動制御装置に係る実施形態について、図面に基づいて説明する。
【００５０】
＜第１実施形態＞
本発明の始動制御装置に係る第１実施形態について、図１乃至図７を参照して説明する。
【００５１】
先ず、本実施形態に係る始動制御装置が搭載される車両について、図１を参照して説明する。図１は、第１実施形態に係る始動制御装置が搭載される車両の構成を示すブロック図である。尚、図１では、説明の煩雑化を回避するために、本発明に直接関連しない構成要素については適宜図示を省略している。
【００５２】
図１において、ハイブリッド車両１は、エンジン１０、第１モータ・ジェネレータ（ＭＧ１）１１、第２モータ・ジェネレータ（ＭＧ２）１２、遊星歯車機構を有する動力分配機構１３、エンジンＥＣＵ（Ｅｌｅｃｔｒｏｎｉｃ  Ｃｏｎｔｒｏｌ  Ｕｎｉｔ：電子制御ユニット）２１、及びハイブリッドＥＣＵ２２を備えて構成されている。
【００５３】
エンジン１０のクランクシャフト１０１は、動力分配機構１３の複数の遊星ギヤ１３３のキャリアである遊星キャリア１３４の回転軸としてのインプットシャフト１３１に接続されている。
【００５４】
尚、本実施形態に係るエンジン１０は、４つの気筒を有する４気筒エンジンであるが、該４気筒エンジンに限らず、例えば６気筒、８気筒、１２気筒、１６気筒等の各種エンジンであってよい。
【００５５】
動力分配機構１３のサンギヤ１３２の回転軸は、第１モータ・ジェネレータ１１に接続されている。動力分配機構１３のリングギヤ１３５の回転軸は、第２モータ・ジェネレータ１２に接続されている。動力分配機構１３の動力出力ギヤ１３６は、チェーンベルト１３７を介して、動力伝達ギヤ（図示せず）に動力を伝達する。動力伝達ギヤに伝達された動力は、駆動軸及びデファレンシャルギヤ（図示せず）を介して、ハイブリッド車両１の駆動輪（図示せず）に伝達される。
【００５６】
ハイブリッド車両１は、更に、クランク角センサ３１、並びに、レゾルバ３１及び３２を備えて構成されている。
【００５７】
ここで、エンジン１０のクランクシャフト１０１には、該クランクシャフト１０１と共に回転し、周縁部に突起部（切欠部）が設けられたクランクロータ１０２が設けられている。クランク角センサ３１は、クランクロータ１０２の突起部が通過するときにパルス信号を生じるピックアップを有している。
【００５８】
ここで、クランク角センサ３１について、図２及び図３を参照して説明を加える。図２は、第１実施形態に係るクランク角センサの構成を概略的に示した構成図であり、図３は、クランク角センサ信号の一例である。
【００５９】
図２において、クランクシャフト１０１には、図中の矢印方向に回転されるクランクロータ１０２が取り付けられている。クランクロータ１０２の外周には、クランク角検出用として、例えば１０度ＣＡ（Ｃｒａｎｋ  Ａｎｇｌｅ）毎の等しい角度間隔で形成された歯部１０２ａと、２歯分連続して欠歯された欠歯部１０２ｂとが設けられている。
【００６０】
クランク角センサ３１は、各歯部１０２ａに対向し、該歯部１０２ａによりクランクシャフト１０１の回転角度を検出する。クランク角センサ３１から出力されるクランク角センサ信号は、クランクシャフト１０１の回転位置が予め設定された特定位置でないときには、所定のクランク角（例えば１０度ＣＡ）回転する期間を１周期としたパルス信号となり、クランクシャフト１０１が特定位置に来たときには、クランクシャフト１０１が、例えば３０度ＣＡ回転する期間を１周期とした欠歯信号となる。該欠歯信号は、クランクシャフト１０１が１回転する毎（即ち、３６０度ＣＡ毎）に発生する。
【００６１】
図３に示すように、欠歯部１０２ｂは、クランクロータ１０２（即ち、クランクシャフト１０１）が１回転する毎に１回検出されるが、クランクシャフト１０１の２回転で、１サイクルとなる４ストロークエンジンでは、吸気ＴＤＣ（Ｔｏｐ  Ｄｅａｄ  Ｃｅｎｔｅｒ）か燃焼ＴＤＣかを判定するために、クランク角センサ信号に加えて、例えば１サイクル１回転である動弁系のカム軸上に設けられたカムセンサ（図示せず）から出力されるカム信号により、クランクシャフト１０１の絶対角度が特定される（図４参照）。
【００６２】
図４は、クランク角の絶対値の特定方法の一例を示す概念図である。尚、図４において、最上段がクランク角センサ信号に対応する。また、クランク角の絶対値の特定方法には、公知の各種態様を適用可能であるので、説明の煩雑化を回避するために、その詳細についての説明は割愛する。
【００６３】
再び図１に戻り、エンジンＥＣＵ２１とハイブリッドＥＣＵ２２とは、例えばＣＡＮ（Ｃｏｎｔｒｏｌｌｅｒ  Ａｒｅａ  Ｎｅｔｗｏｒｋ）通信により互いに通信している。
【００６４】
ここで、エンジン１０に係る燃料噴射制御及び点火制御は、クランク角に応じて実行される。しかしながら、エンジン１０の始動時の、クランクシャフト１０１の回り始めからクランク角が確定（特定）されるまでの期間は、クランク角が確定された後の期間と同様の精度で燃料噴射制御や点火制御を実行することは困難である。
【００６５】
このため、エンジン１０の始動時にクランク角が確定されてから、燃料噴射制御や点火制御が実行されるような構成では、エンジン１０が始動するまでにかかる時間が増大する。すると、所謂エコラン車ではレスポンスが悪化したり、ハイブリッド車両では、エンジン１０をクランキングするための消費電力量が増大したりする可能性がある。
【００６６】
他方、クランク角が確定される前に、燃料噴射制御や点火制御が実行される場合、気筒ナンバーやクランク角がわからないため、固定噴射処理や固定点火処理となり、エミッションが悪化したり、燃焼トルクを制御できずにパワートレーンの振動が増大したりする可能性がある。
【００６７】
クランク角が確定される前に、燃料噴射制御や点火制御を比較的精度良く実行する方法として、以下の２つの方法が考えられる。
【００６８】
第１に、エンジン１０の今回始動開始時にクランク角を確定するために、エンジン１０の前回停止時のクランク角を正しく検出する。しかしながら、エンジン１０の停止直前は、コンプレッショントルクによるトルク反力により、エンジン１０のクランクシャフト１０１が逆回転してしまう。このため、逆回転検知機能付きのセンサが必要となる。該逆回転検知機能付きセンサは比較的高価であるため、この方法では、例えば製造コストの増加等の技術的問題点がある。
【００６９】
第２に、モータ・ジェネレータに設けられている逆回転検知機能付きのセンサ（例えば、レゾルバ）の情報を、クランク角として代用する。しかしながら、モータ・ジェネレータの回転軸の角度と、クランクシャフト１０１の角度とが必ずしも一致しない場合がある。具体的には例えば、クランクシャフト１０１に、例えばダンパ、ギヤ、ベルト等で連結されているモータ・ジェネレータを有するハイブリッド車両（図１参照）や所謂エコラン車では、ダンパ等に起因して、モータ・ジェネレータの回転軸の角度とクランク角とがずれる可能性がある。従って、モータ・ジェネレータの回転軸の角度情報のみでは、燃料噴射制御や点火制御を精度良く実行することが困難であるという技術的問題点がある。
【００７０】
また、クランクシャフト１０１とモータ・ジェネレータの回転軸とが直結されている場合であっても、本実施形態に係る車両１のように、エンジン１０を制御するエンジンＥＣＵ２１と、モータ・ジェネレータを制御するハイブリッドＥＣＵ２２とが別々に設けられている場合には、ＥＣＵ間の通信ディレイに起因して、モータ・ジェネレータの回転軸の角度とクランク角とがずれ、制御精度が低下する。
【００７１】
そこで、本実施形態に係る始動制御装置１００では、エンジン１０の始動時には、エンジン１０の始動開始時からクランク角が確定されるまで、仮クランク角に基づいてエンジン１０に係る始動制御が実行される。ここで、仮クランク角は、エンジン１０の前回停止時に、レゾルバ３２により検出された第１モータ・ジェネレータ１１に係るロータ角に基づく角度である停止角度に、クランク角センサ３１から出力されたクランク角センサ信号に応じた値が加算されることにより算出される推定値である。尚、「クランク角センサ信号に応じた値」は、本実施形態では、基本的には１０度（図２参照）である。
【００７２】
このように構成すれば、クランク角が確定される前であっても仮クランク角に基づいて、燃料噴射制御や点火制御を実行することができる。加えて、クランク角センサ３１が逆回転検知機能を備えている必要はないので、例えば製造コストの増大を抑制することができる。
【００７３】
次に、本実施形態に係る始動制御装置１００の具体的な動作について、図５ａ、図５ｂ及び図５ｃを参照して説明を加える。図５ａは、エンジンの運転時における始動制御装置の動作を示す概念図である。図５ｂは、エンジン停止時における始動制御装置の動作を示す概念図である。図５ｃは、エンジン始動時且つクランク角確定前における始動制御装置の動作を示す概念図である。
【００７４】
図５ａにおいて、始動制御装置１００は、エンジンＥＣＵ２１、ハイブリッドＥＣＵ２２、クランク角センサ３１及びレゾルバ３２を備えて構成されている。
【００７５】
エンジン１０の運転時には、クランク角が確定されているので、エンジンＥＣＵ２１におけるスイッチＳＷ２は、“Ｎ”側に接続される。このため、クランク角センサ３１からのクランク角センサ信号に基づいて、クランク角が計測され（“クランク角計測値”参照）、該計測されたクランク角に基づいて、気筒が特定され、燃料噴射制御や点火制御が実行される。また、エンジンＥＣＵ２１は、ハイブリッドＥＣＵ２２に対して、クランク角又はＴＤＣ信号を、ＣＡＮ通信により（或いは直接）送信する。
【００７６】
ハイブリッドＥＣＵ２２では、レゾルバ３２により検出された第１モータ・ジェネレータ１１に係るロータ角に基づいて、積算角度が算出される（“レゾルバ積算角度算出”参照）。ハイブリッドＥＣＵ２２では、更に、算出された積算角度に基づいてクランク角が算出される。この時、エンジンＥＣＵ２１から送信されたクランク角又はＴＤＣ信号に基づいて、算出されたクランク角が補正やリセット等される。
【００７７】
ハイブリッドＥＣＵ２２は、エンジン１０が停止すると、その時の算出されたクランク角を停止角度として記憶する。尚、エンジン１０の停止直前に、ハイブリッドＥＣＵ２２は、エンジンＥＣＵ２１から送信されたクランク角に基づいて、算出されたクランク角を補正してよい。
【００７８】
次に、エンジン１０の停止中では、エンジン１０のクランクシャフト１０１は止まっているので、エンジンＥＣＵ２１におけるスイッチＳＷ１は、“Ｎ”側に接続される。エンジン１０の始動要求があった場合には、第１モータ・ジェネレータ１１によりエンジン１０のクランクシャフト１０１が回転される前に、ハイブリッドＥＣＵ２２が、エンジンＥＣＵ２１に対して停止角度として記憶されたクランク角を、ＣＡＮ通信により送信する。エンジンＥＣＵ２１は、送信されたクランク角を仮クランク角の初期値とする。
【００７９】
次に、エンジン１０の始動時且つクランク角確定前では、エンジン１０のクランクシャフト１０１が回転しているので、エンジンＥＣＵ２１におけるスイッチＳＷ１は“Ｙ”側に接続される。このため、クランク角センサ３１からのクランク角センサ信号に基づいて、仮クランク角が更新される（“Ｔ１０ＣＡカウンタ”、“仮クランク角算出”等参照）。
【００８０】
また、クランク角が確定していないので、エンジンＥＣＵ２１におけるスイッチＳＷ２は“Ｙ”側に接続される。このため、仮クランク角に基づいて、気筒が特定され、燃料噴射制御や点火制御が実行される。
【００８１】
次に、本実施形態の効果について、図６を参照して説明する。図６は、第１実施形態に係る始動制御を、従来例に係る始動制御と比較して示す概念図である。
【００８２】
図６において、従来例では、クランク角が確定されるまでは（図６中“確定”参照）、燃料噴射制御や点火制御を実行することができなかった。これに対して、本実施形態（図６中“本発明”参照）では、仮クランク角を用いることにより、エンジン１０の始動開始直後から、燃料噴射制御や点火制御を実行することができる。この結果、エンジン１０を比較的早く（図６では、従来例よりも３ＴＤＣ早く）始動することができる。
【００８３】
加えて、クランキング期間も短縮することができるので（図６の下から２段目の破線参照）、クランキングに係る消費電力量を低減することができ、エネルギー効率の向上を図ることができる。
【００８４】
以上のように構成された始動制御装置１００を搭載するハイブリッド車両１の主に走行時に実施される始動制御処理について、図７のフローチャートを参照して説明する。
【００８５】
図７において、エンジン１０の前回運転中に、ハイブリッドＥＣＵ２２は、レゾルバ３２から出力された信号を検出する（ステップＳ１０１）。ステップＳ１０１の処理と並行して、ハイブリッドＥＣＵ２２は、エンジン同期信号を検出する（ステップＳ１０２）。
【００８６】
ここで、エンジン同期信号は、例えばクランク角センサ３１から出力される３０度ＣＡ信号等である。尚、エンジン同期信号には、公知の各種態様を適用可能であるので、その詳細についての説明は割愛する。
【００８７】
次に、ハイブリッドＥＣＵ２２は、レゾルバ３２から出力された信号に基づいてクランク角を算出する（ステップＳ１０３）。尚、ステップＳ１０１及びＳ１０３は、図５ａにおける「レゾルバ積算角度算出」及び「クランク角算出」に相当する。
【００８８】
次に、ハイブリッドＥＣＵ２２は、エンジン１０が停止したか否かを判定する（ステップＳ１０４）。エンジン１０が停止していないと判定された場合（ステップＳ１０４：Ｎｏ）、ハイブリッドＥＣＵ２２は、ステップＳ１０１の処理を実施する。他方、エンジン１０が停止したと判定された場合（ステップＳ１０４：Ｙｅｓ）、ハイブリッドＥＣＵ２２は、算出されたクランク角を、停止角度として記憶する。
【００８９】
次に、ハイブリッドＥＣＵ２２は、エンジン１０の始動要求があるか否かを判定する（ステップＳ１０５）。始動要求がないと判定された場合（ステップＳ１０５：Ｎｏ）、ハイブリッドＥＣＵ２２は、ステップＳ１０５の処理を実施する（即ち、始動要求があるまで待機状態となる）。
【００９０】
他方、始動要求があると判定された場合（ステップＳ１０５：Ｙｅｓ）、ハイブリッドＥＣＵ２２は、エンジン始動フラグを、エンジンＥＣＵ２１に対して送信する（ステップＳ１０６）。該エンジン始動フラグを受信したエンジンＥＣＵ２１は、エンジン１０の始動時における燃料噴射制御を実行すべき噴射角度及び点火制御を実行すべき点火角度の初期値を設定する（ステップＳ１１１）。
【００９１】
また、ハイブリッドＥＣＵ２２は、停止角度として記憶されたクランク角を、エンジンＥＣＵ２１に対して送信する（ステップＳ１０７）。エンジンＥＣＵ２１は、受信したクランク角（停止角度）をラッチする（ステップＳ１１２）。続いて、エンジンＥＣＵ２１は、クランク角センサ信号が検出されたか否かを判定する（ステップＳ１１３）。
【００９２】
クランク角センサ信号が検出されないと判定された場合（ステップＳ１１３：Ｎｏ）、エンジンＥＣＵ２１は、ステップＳ１１３の処理を実施する（即ち、クランク角センサ信号が検出されるまで待機状態となる）。他方、クランク角センサ信号が検出されたと判定された場合（ステップＳ１１３：Ｙｅｓ）、エンジンＥＣＵ２１は、ラッチされた停止角度及びクランク角センサ信号に応じた値から仮クランク角を算出する（ステップＳ１１４）。
【００９３】
続いて、エンジンＥＣＵ２１は、クランク角が確定したか否かを判定する（ステップＳ１１５）。クランク角が確定されていないと判定された場合（ステップＳ１１５：Ｎｏ）、エンジンＥＣＵ２１は、仮クランク角に基づいて、該仮クランク角が噴射角度又は点火角度に該当することを条件に、燃料噴射制御又は点火制御を実行し（ステップＳ１１６）、再びステップＳ１１３の処理を実施する。
【００９４】
他方、クランク角が確定されたと判定された場合（ステップＳ１１５：Ｙｅｓ）、エンジンＥＣＵ２１は、仮クランク角に代えてクランク角に基づいて、該クランク角が噴射角度又は点火角度に該当することを条件に、燃料噴射制御又は点火制御を実行する（ステップＳ１１７）。
【００９５】
本実施形態に係る「エンジンＥＣＵ２１」及び「ハイブリッドＥＣＵ２２」は、本発明に係る「制御手段」の一例である。つまり、本実施形態に係る始動制御装置１００では、ハイブリッド車両１の各種電子制御用のエンジンＥＣＵ２１及びハイブリッドＥＣＵ２２の機能の一部を、始動制御装置１００の一部として用いている。
【００９６】
尚、ステップＳ１１２の処理において、停止角度がラッチされる前に、クランクシャフト１０１が回転され始めた場合、エンジンＥＣＵ２１は、例えばクランク角センサ信号に基づいてクランクシャフト１０１の回転量を記憶しておき、停止角度がラッチされた時点で、該記録された回転量とラッチされた停止角度とから仮クランク角を算出する。
【００９７】
＜第２実施形態＞
本発明の始動制御装置に係る第２実施形態について、図８を参照して説明する。尚、第２実施形態は、始動制御処理の一部が異なる以外は、第１実施形態の構成と同様である。従って、第１実施形態と重複する部分の説明を適宜省略すると共に、図面上における同一箇所には同一符号を付して示し、基本的に異なる部分のみ、図８を参照して説明する。
【００９８】
ハイブリッド車両１の走行中では、エンジン１０が停止していたとしても、ハイブリッド車両１の車輪（図示せず）を介して伝わる振動等の外乱により、クランクシャフト１０１が回転される場合がある。
【００９９】
しかしながら、クランク角センサ３１では、クランクシャフト１０１が順方向及び逆方向のどちらに回転したのかを判定することはできない。また、クランクシャフト１０１の回転の仕方によっては、出力されたクランク角センサ信号から、欠歯部１０２ｂ（図２参照）でないにもかかわらず、欠歯部１０２ｂと誤認識される可能性がある。
【０１００】
そこで本実施形態では、エンジン１０の停止中にクランクシャフト１０１が回転された場合、クランク角センサ３１は用いずに、レゾルバ３２により検出されたロータ角に基づいて、ハイブリッドＥＣＵ２２に、停止角度として記憶されたクランク角が更新される。
【０１０１】
このように構成すれば、エンジン１０の停止中に外乱によりクランクシャフト１０１が回転されたとしても、エンジン１０の始動時における仮クランク角の信頼性を向上させることができ、実用上非常に有利である。
【０１０２】
以上のように構成された始動制御装置１００が実施する始動制御処理について、図８のフローチャートを参照して説明する。
【０１０３】
図７に示したステップＳ１０４の処理で“Ｙｅｓ”と判定された後（即ち、エンジン１０が停止したと判定され、停止角度が記憶された後）、ハイブリッドＥＣＵ２２は、レゾルバ３２によりロータ角が再検出された（即ち、クランクシャフト１０１が回転され、該クランクシャフト１０１の回転に起因して第１モータ・ジェネレータ１１の回転軸がつれ回された）ことを条件に、記憶された停止角度を更新する（ステップＳ２０１）。
【０１０４】
次に、ハイブリッドＥＣＵ２２は、図７に示したステップＳ１０５の処理を実施する。尚、ステップＳ１０５の処理で“Ｎｏ”と判定された場合、ハイブリッドＥＣＵ２２は、ステップＳ２０１の処理を実施する。
【０１０５】
＜第３実施形態＞
本発明の始動制御装置に係る第３実施形態について、図９及び図１０を参照して説明する。尚、第３実施形態は、始動制御処理の一部が異なる以外は、第１実施形態の構成と同様である。従って、第１実施形態と重複する部分の説明を適宜省略すると共に、図面上における同一箇所には同一符号を付して示し、基本的に異なる部分のみ、図９及び図１０を参照して説明する。
【０１０６】
本発明に係る「シフト操作手段」の一例としての、シフトレバー（又はセレクター）（図示せず）により、パーキングレンジが選択されている場合、例えばギヤがた詰め等の制御に起因して、第１モータ・ジェネレータ１１の回転軸が回転し始める時点と、クランクシャフト１０１が回転し始める時点とが異なる。この場合に、何らの対策も採らなければ、ギヤがた詰め等の際にクランクシャフト１０１が回転することにより、意図しないタイミングで燃料が噴射されたり、燃料噴射から点火までの期間が変化したことにより混合気形成に差が生じ燃焼が悪化したりする可能性がある。
【０１０７】
具体的には例えば、図９（ａ）に示すように、始動フラグをエンジンＥＣＵ２１が受信した時点で直ちに燃料噴射制御が実行されるように構成されていると、燃料噴射から点火までの期間が比較的長くなり燃焼が悪化する。
【０１０８】
他方で、シフトレバーによりドライブレンジが選択されている場合は、ギヤがた詰め等の制御が必要ないので、図９（ｂ）に示すように、始動フラグをエンジンＥＣＵ２１が受信してから、クランクシャフト１０１が回転し始めるまでの期間が比較的短い。このため、パーキングレンジが選択されている場合のような問題は生じない。
【０１０９】
そこで本実施形態では、クランクシャフト１０１と、第１モータ・ジェネレータ１１の回転軸との間に介在する動力伝達機構（本実施形態では“動力分配機構１３”）に起因して、第１モータ・ジェネレータ１１の回転軸が回転し始める時点と、クランクシャフト１０１が回転し始める時点とが異なる場合、エンジン１０の始動要求があった後、レゾルバ３２により検出されたロータ角に基づいて、ハイブリッドＥＣＵ２２に、停止角度として記憶されたクランク角が更新される。そして、エンジンＥＣＵ２１は、クランクシャフト１０１が回転し始める時点における停止角度に、クランク角センサ信号に応じた値を加算することにより仮クランク角を算出する。
【０１１０】
このように構成すれば、パーキングレンジが選択されている場合等、第１モータ・ジェネレータ１１の回転軸とクランクシャフト１０１との間に介在する要素の影響がある場合にも、エンジン１０の始動時における仮クランク角の信頼性を向上させることができ、実用上非常に有利である。
【０１１１】
以上のように構成された始動制御装置１００が実施する始動制御処理について、図１０のフローチャートを参照して説明する。
【０１１２】
図７に示したステップＳ１０６の処理の後、ハイブリッドＥＣＵ２２は、エンジン１０のクランキングを開始したか否かを判定する（ステップＳ３０１）。エンジン１０のクランキングが開始されていないと判定された場合（ステップＳ３０１：Ｎｏ）、ハイブリッドＥＣＵ２２は、レゾルバ３２によりロータ角が再検出されたことを条件に、記憶された停止角度を更新して（ステップＳ３０２）、ステップＳ３０１の処理を再び実施する。他方、エンジン１０のクランキングが開始されたと判定された場合（Ｓ３０１：Ｙｅｓ）、ハイブリッドＥＣＵ２２は、図７に示したステップＳ１０７の処理を実施する。
【０１１３】
＜第４実施形態＞
本発明の始動制御装置に係る第４実施形態について、図１１及び図１２を参照して説明する。尚、第４実施形態は、始動制御処理の一部が異なる以外は、第１実施形態の構成と同様である。従って、第１実施形態と重複する部分の説明を適宜省略すると共に、図面上における同一箇所には同一符号を付して示し、基本的に異なる部分のみ、図１１及び図１２を参照して説明する。
【０１１４】
クランクシャフト１０１に設けられたクランクロータ１０２には、１０度毎に歯部１０２ａが形成されている（図２参照）。このため、単純には、クランク角センサ信号が検出される度に、１０度ずつ仮クランク角を増加すればよい。
【０１１５】
しかしながら、エンジン１０の前回停止時に、クランクロータ１０２の欠歯部１０２ｂがクランク角センサ３１に対向した場合、図１１に示すように、エンジン１０の今回始動時に１回目のクランク角センサ信号が検出されたときには、クランクシャフト１０１は１０度以上回転されている可能性がある。すると、実際のクランク角（図１１下段における破線参照）と仮クランク角（図１１下段におけるステップ状の実線参照）とが乖離する可能性がある。
【０１１６】
そこで本実施形態では、クランクシャフト１０１が回転し始めてから、１回目のクランク角センサ信号が検出されるまでの期間に基づいて、クランク角センサ信号に応じた値が補正される。具体的には例えば、クランクシャフト１０１が回転し始めてから１回目のクランク角センサ信号が検出されるまでの期間に基づいて、１０度に所定の補正量（例えば、０、１０、２０）が加えられる。この結果、実際のクランク角と仮クランク角との乖離を抑制することができ、実用上非常に有利である。
【０１１７】
以上のように構成された始動制御装置１００が実施する始動制御処理について、図１２のフローチャートを参照して説明する。
【０１１８】
図７に示したステップＳ１１３の処理において“Ｙｅｓ”と判定された後、エンジンＥＣＵ２１は、ステップＳ１１２の処理（図７参照）においてラッチされた停止角度が欠歯部１０２ｂに相当する角度でないか否かを判定する（ステップＳ４１１）。ラッチされた停止角度が欠歯部１０２ｂに相当する角度でないと判定された場合（ステップＳ４１１：Ｙｅｓ）、エンジンＥＣＵ２１は、図７に示したステップＳ１１４の処理を実施する。
【０１１９】
他方、ラッチされた停止角度が欠歯部１０２ｂに相当する角度であると判定された場合（ステップＳ４１１：Ｎｏ）、エンジンＥＣＵ２１は、クランクシャフト１０１が回転し始めてから、１回目のクランク角センサ信号が検出されるまでの期間に基づいて、クランク角センサ信号に応じた値を補正して仮クランク角を算出し（ステップＳ４１２）、図７に示したステップＳ１１５の処理を実施する。
【０１２０】
尚、ステップＳ４１１の処理は、ステップＳ１１３の処理の前に実施されてもよい、或いは、ステップＳ１１３の処理と並行して実施されてよい。
【０１２１】
＜第５実施形態＞
本発明の始動制御装置に係る第５実施形態について、図１３及び図１４を参照して説明する。尚、第５実施形態は、始動制御処理の一部が異なる以外は、第１実施形態の構成と同様である。従って、第１実施形態と重複する部分の説明を適宜省略すると共に、図面上における同一箇所には同一符号を付して示し、基本的に異なる部分のみ、図１３及び図１４を参照して説明する。
【０１２２】
図７のフローチャートに示したように、クランク角が確定された場合、エンジンＥＣＵ２１は、仮クランク角に代えてクランク角に基づいて、エンジン１０に係る始動制御を実行する。ここで、仮クランク角とクランク角との間に誤差が生じている場合、仮クランク角とクランク角との切り換えに起因して、例えば処理抜けや二重処理が発生する可能性がある。
【０１２３】
そこで本実施形態では、仮クランク角がクランク角よりも遅れている場合（図１３（ａ）参照）には、仮クランク角とクランク角との間に、燃料噴射制御を実行すべき噴射角度又は点火制御を実行すべき点火角度が含まれていることを条件に、エンジンＥＣＵ２１が、仮クランク角からクランク角への切り換え直後に、燃料噴射制御又は点火制御を実行する。
【０１２４】
他方、仮クランク角がクランク角よりも進んでいる場合（図１３（ｂ）参照）には、仮クランク角からクランク角への切り換え前に、仮クランク角に基づいて燃料噴射制御や点火制御が実行されている可能性がある。この場合には、エンジンＥＣＵ２１は、クランク角が、該クランク角が確定された際の仮クランク角に相当する角度に達するまでは、クランク角に基づく燃料噴射制御及び点火制御の実行を禁止する。
【０１２５】
このように構成すれば、仮クランク角とクランク角との切り換えに起因する処理抜けや、二重処理を防止することができ、実用上非常に有利である。
【０１２６】
以上のように構成された始動制御装置１００が実施する始動制御処理について、図１４のフローチャートを参照して説明する。
【０１２７】
図７に示したステップＳ１１５の処理において“Ｙｅｓ”と判定された後、エンジンＥＣＵ２１は、仮クランク角とクランク角との間に誤差があるか否かを判定する（ステップＳ５１１）。仮クランク角とクランク角との間に誤差がない（或いは、誤差が許容範囲内である）と判定された場合（ステップＳ５１１：Ｎｏ）、エンジンＥＣＵ２１は、図７に示したステップＳ１１７の処理を実行する。
【０１２８】
他方、仮クランク角とクランク角との間に誤差があると判定された場合（ステップＳ５１１：Ｎｏ）、エンジンＥＣＵ２１は、仮クランク角がクランク角よりも遅れているか否かを判定する（ステップＳ５１２）。仮クランク角がクランク角よりも遅れていると判定された場合（ステップＳ５１２：Ｙｅｓ）、エンジンＥＣＵ２１は、処理抜け防止処理を実施する（ステップＳ５１３）。具体的には、エンジンＥＣＵ２１は、仮クランク角とクランク角との間に、噴射角度又点火角度が含まれていることを条件に、仮クランク角からクランク角への切り換え直後に燃料噴射制御又は点火制御を実行する。
【０１２９】
他方、仮クランク角がクランク角よりも進んでいると判定された場合（ステップＳ５１２：Ｎｏ）、エンジンＥＣＵ２１は、二重処理の防止処理を実施する（ステップＳ５１４）。具体的には、エンジンＥＣＵ２１は、クランク角が、該クランク角が確定された際の仮クランク角に相当する角度に達するまでは、クランク角に基づく燃料噴射制御及び点火制御の実行を禁止する。
【０１３０】
＜第６実施形態＞
本発明の始動制御装置に係る第６実施形態について説明する。尚、第６実施形態は、始動制御処理の一部が異なる以外は、第１実施形態の構成と同様である。従って、第１実施形態と重複する部分の説明を適宜省略し、基本的に異なる部分のみ説明する。
【０１３１】
例えば、エンジン１０の気筒内の圧力を負圧化、又はエンジン１０の回転数を高回転化させてから燃料噴射及び点火を行いたい場合、具体的には例えば、ハイブリッド車両１に係る間欠運転の期間が比較的長い場合、エンジン１０の排気管に設けられている触媒温度が比較的低い場合、或いは、ハイブリッド車両１の運転開始時、等のエミッションの低減要求がある場合、エンジンＥＣＵ２１は、仮クランク角を用いずに、クランク角が確定された後に、該クランク角に基づいて前記始動制御を実行する。
【０１３２】
例えば、Ｒｅａｄｙ−ＯＮ直後、１２Ｖバッテリ（図示せず）のクリア時、ハイブリッドＥＣＵ２２に問題が生じた場合、エンジンＥＣＵ２１及びハイブリッドＥＣＵ２２間の通信に問題が生じた場合、等の仮クランク角が算出できない場合、エンジンＥＣＵ２１は、仮クランク角を用いずに、クランク角が確定された後に、該クランク角に基づいて前記始動制御を実行する。
【０１３３】
尚、上述した第１実施形態乃至第６実施形態は、適宜組み合わされてよい。
【０１３４】
本発明は、上述した実施形態に限られるものではなく、請求の範囲及び明細書全体から読み取れる発明の要旨或いは思想に反しない範囲で適宜変更可能であり、そのような変更を伴う始動制御装置もまた本発明の技術的範囲に含まれるものである。
【符号の説明】
【０１３５】
１…車両、１０…エンジン、１１…第１モータ・ジェネレータ、１２…第２モータ・ジェネレータ、１３…動力分配機構、２１…エンジンＥＣＵ、２２…ハイブリッドＥＣＵ、３１…クランク角センサ、３２、３３…レゾルバ、１００…始動制御装置
【図１】
0006032352.tif 000002
【図２】
0006032352.tif 000003
【図３】
0006032352.tif 000004
【図４】
0006032352.tif 000005
【図５ａ】
0006032352.tif 000006
【図５ｂ】
0006032352.tif 000007
【図５ｃ】
0006032352.tif 000008
【図６】
0006032352.tif 000009
【図７】
0006032352.tif 000010
【図８】
0006032352.tif 000011
【図９】
0006032352.tif 000012
【図１０】
0006032352.tif 000013
【図１１】
0006032352.tif 000014
【図１２】
0006032352.tif 000015
【図１３】
0006032352.tif 000016
【図１４】
0006032352.tif 000017